(57)【要約】【課題】解放時にフックが外方に突出しないようなロック装置を得る。【解決手段】図はこの発明のロック装置をかばんなどに適用した場合の鍵操作部２０を示し、ロック装置の各部品はかばんの収納部に取り付けられた鍵操作部収納ボックス２１内に収納されている。かばん閉鎖時にはフック３０の係合部３１がかばんの蓋部に取り付けられた係止体２２と係合している。かばん解放時にはスライド４０をＰ方向に動かすと、それに組み合わされたカム体５０が動き、カム体５０と係合しているフック３０が図で時計方向に回動し、係止体２２との係合が外れるとともに、収納ボックス２１内に入りこみ、外部に突出しない。ばね６０がカム体の下端５３とばね取付部６１との間に斜めに張設されているので、カム体を図の左方に引き戻すと同時に、カム体の後端５５を上方に持ち上げるので収納ボックス２１の孔２５の縁２６と係合し、それ以上戻らない。【選択図】    図１０
2004316212.tif 000002
【特許請求の範囲】
【請求項１】
ロック装置において、ロック装置の鍵操作部収納ボックス内に、
回動可能に取り付けられたフックと、フックと係合しており、かつフックとの係合側の反対側に突出部を有するカム体と、
カム体を移動させるため、カム体と組み合わされているスライダと、
前記の収納ボックス内に設けられた取付部とカム体の下端部との間に斜めに張設されており、カム体をフックの閉鎖方向に付勢しているバネとがそれぞれ組み合わされて配設されており、
フックを開放方向に回動させたとき、ロック装置が開放されている間は、バネによるカム体の復帰運動が拘束されるような構成になっていることを特徴とするロック装置。
【発明の詳細な説明】
【０００１】
【発明の属する技術分野】
この発明はアタッシュケースなどのかばん類、楽器のケース、各種の収納用ボックスあるいはドア、窓等の施錠装置などに広く適用できるロック装置に関する。
【０００２】
【従来の技術と問題点】
図３は例えばかばんの場合の従来のロック装置をかばんが開かれた状態で示した斜視図であって、１はかばんの蓋部、２は収納部、３ハンドルをそれぞれ示す。４は蓋部１に取り付けられた係止用のフックであって、５は鍵操作部を総称して示している。これらのフック４と鍵操作部５とによってかばんの閉鎖及び開放が行われる。
【０００３】
従来のロック装置では、このように解放時には図示の如く係止用のフック４が外部にむき出しで露出している。
【０００４】
【この発明が解決すべき課題】
従来のロック装置では、前述の如く、解放時には係止用のフックが外部に突出して露出しているので、書類や楽器やその他の内容物の出し入れのときフックに引っかけて破損する惧れがある。又露出しているフックによって手に怪我をする危険も少くなくない。
【０００５】
そこで上記の如き不具合を解消するために簡単な構造で解放時にフックが露出しないようなロック装置を得る必要がある。
【０００６】
【課題を解決するための手段】
この発明は前記の課題を解決するために、
「ロック装置において、ロック装置の鍵操作部収納ボックス内に、回動可能に取り付けられたフックと、
フックと係合しており、かつフックとの係合側の反対側に突出部を有するカム体と、
カム体を移動させるため、カム体と組み合わされているスライダと、
前記の収納ボックス内に設けられた取付部とカム体の下端部との間に斜めに張設されており、カム体をフックの閉鎖方向に付勢しているバネとがそれぞれ組み合わされて配設されており、
フックを開放方向に回動させたとき、ロック装置が開放されている間は、ばねによるカム体の復帰運動が拘束されるような構成になっていることを特徴とするロック装置。」を得たものである。
【０００７】
【実施例】
図１はこの発明のロック装置をかばん錠に適用した場合のかばん１０の正面図、図２はかばん１０の蓋部を開いたところを示す斜視図であって、１は蓋部、２は収納部、３はハンドルをそれぞれ示している。２０は収納部２に設けられたこの発明のロック装置の鍵操作部であって、図の右側のものを２０Ｒ、左側にあるものを２０Ｌで表す。図４は左側の２０Ｌを取り出して示した正面図、図５は図４のＸ−Ｘ断面をＦ方向からみた図、図６は同じくＤ方向からみたところを示し、図７ないし図１０は図５をＲ方向からみて（即ち図４を紙面の裏側からみたことになる）各部品の関連を示している。以下図４ないし図１０に関する説明は左側の２０Ｌについてのものであるが、２０Ｒについても向きが反対であるだけで構成は全く同様である。
【０００８】
図において、２１は鍵操作部収納ボックスであって、鍵操作部２０（前述の如く図示のものは２０Ｌである。）の各部品はこの収納ボックス２１内に互いに組み合わされて収納されている。４０はカム体５０を操作するスライドであって、その前面４１はかばん１０の正面壁部８に露出していて、指で操作される。そして前面４１には指がすべらないように筋をつけたり、ロレット加工されたりした操作部４２が形成されている。そしてスライダ４０とカム体５０とは組み合わされ、スライダ４０を移動させればカム体５０も同時に移動する。
【０００９】
図１１はスライダ４０の正面図、図１２は図１１をＦ方向からみた上面図、図１５はカム体５０の側面図、図１６は図１５をＦ方向からみた上面図、図１７は図１５をＲ方向からみた端面図である。図から判るようにスライド４０の背面に突き出している係合軸４３とカム体５０のスライドとの係合部５１とが係合していてスライド４０とカム体５０は同時に移動するようになっている。
【００１０】
収納ボックスの所定位置にフック３０は回動可能に枢支部３３において枢支されている。図１３はフック３０の側面図、図１４は図１３をＦ方向からみた上面図であって、カム体５０の係合軸５４がフック３０の中央部の孔３２に入りフックと係合している。又フック３０はその先端の係合部３１において、かばん１０の蓋部１に取り付けられている係止体２２と係合してかばんの蓋をロックしている。図示の構造では係止体２２の孔２３の縁とフック３０の係合部３１とが係合している。
【００１１】
図７ないし図１０に示されるように、収納ボックス２１の、フックと反対側の端部と、カム体５０の下端との間にばね６０が斜めに張設されている。６１はばねの取付部であって、他端はカム体５０のばね取付部５３に取り付けられている。さらに収納ボックス２１の上面にはフック３０が通過する孔２４と、後述するようにカム体５０が入り込む孔２５とが設けられている。
【００１２】
図７はかばんのロック装置が閉鎖されているときの各部品の配置状態を示している。スライダ４０は図の左端に来ている。（図４、図５、図６においては逆に、ロック装置が開放状態にあるときの状態で示されており、スライダ４０は図７の状態の反対端に来ている。即ち図１に示したかばん１０の正面の２０Ｌの状態である。）この閉鎖時にはフック３０の係合部３１がかばん１０の蓋に取り付けられた係止体２２の孔２３の縁部と係合している。
【００１３】
ロック装置を開放するには図１、図４、図７等において、スライダ４０を図のＰ方向に移動させる。（前述の如く図４、図５、図６においては、図２に示す開放された状態にスライダ４０がすでに来ているところを示している。）スライダ４０の前面４１の操作部４２に指をあてて、スライダ４０をＰ方向に動かすと、スライダ４０の係合軸４３とカム体５０とが係合しているので、カム体５０もばね６０に抗してＰ方向に動く。そうすると、カム体５０の先端にある係合軸５４とフック３０とが係合しているので、フック３０は図８に示すように枢支部３３を中心として次第に時計方向に回動し、係止体２２との係合から外れるようになる。
【００１４】
図９はスライダ４０をＰ方向に動かし終わった状態を示し、フック３０は係止体２２から外れて時計方向に回動し、収納ボックス２１内に入り込み図２のかばん収納部２の上面７から外方へ突き出さない。又ばね６０は取付部６１とカム体５０の下端のばね取付部５３との間に斜めに張設されているので、スライダ４０から指をはなすと、カム体５０をＰ方向の反対方向（図の左方向）に引き戻す際左方向に引き戻す力とカム体５０の後端５５を上方に持ち上げようとする力との両方の力が働くことになる。
【００１５】
図から判るようにカム体５０の後端５５は上方に持ち上げられて孔２５の縁部２６と係合するのでカム体５０はそれ以上左方向に戻らないで係止される。さらにカム体５０の後端５５が持ち上げられるのでカム体５０の突出部５２が蓋部１に取り付けられた係止体２２を若干上方に押し上げようとする。即ち蓋部１の下面６を若干上方に押し蓋部１を開け易くする。そこで蓋部１を開けると、図１０の状態になる。
【００１６】
かばん１０の蓋部１を閉めると、図７、図８に示されるように係止体２２の下面がカム体５０の突出部５２を押してカム体５０が反時計方向に揺動し、カム体の後端部５５が孔２５の縁部２６から外れるので、カム体５０はばね６０に引っぱられて左に復帰し、同時にフック３０もカム体の係合軸５４と係合しているので枢支部３３を中心として反時計方向に回動し、係合部３１が係止体２２と係合する。又スライダ４０もカム体５０とともに左に動き、図７の状態に戻り、かばんの閉鎖状態となる。
【００１７】
【発明の効果】
この発明のロック装置は前記の如き構成であって、解放時に係止用のフックが外方に突出しないので、かばん類や各種のケースなどに応用したり、その他の施錠システムに適用した場合に、内容物の出し入れの際フックに引っかけて破損することがなく、又手に怪我したりすることがない。このような作用を比較的簡単な構造で得ることができた。
【図面の簡単な説明】
【図１】この発明をかばんに適用した実施例の正面図
【図２】かばんを開いたところを示す図
【図３】従来のかばんを開いたところを示す図
【図４】鍵操作部の正面図
【図５】図４の断面Ｘ−ＸをＦ方向からみた図
【図６】図４の断面Ｘ−ＸをＤ方向からみた図
【図７】図４を裏側からみて各部品の配置を示す図
【図８】スライドを少し動かした状態を示す図
【図９】スライドを動かし終わった状態を示す図
【図１０】蓋部が開いた状態を示す図
【図１１】スライドの正面図
【図１２】図１１をＦ方向からみた上面図
【図１３】フックの側面図
【図１４】図１３をＦ方向からみた上面図
【図１５】カム体の側面図
【図１６】図１５をＦ方向からみた上面図
【図１７】図１５をＲ方向からみた端面図
【符号の説明】
１    蓋部
２    収納部
３    ハンドル
４    フック
５    鍵操作部
６    蓋部下面
７    収納部上面
８    かばん前面壁部
１０    かばん
２０    鍵操作部
２１    収納ボックス
２２    係止体
２３    係止体の孔
２４    収納ボックスの孔
２５    収納ボックスの孔
２６    収納ボックスの孔の縁
３０    フック
３１    係合部
３２    孔
３３    枢支部
４０    スライド
４１    前面
４２    操作部
４３    カムとの係合軸
５０    カム体
５１    スライドとの係合部
５２    突出部
５３    ばね取付部
５４    フックとの係合軸
５５    カム後端部
６０    ばね
６１    ばね取付部
【図１】
2004316212.tif 000003
【図２】
2004316212.tif 000004
【図３】
2004316212.tif 000005
【図４】
2004316212.tif 000006
【図５】
2004316212.tif 000007
【図６】
2004316212.tif 000008
【図７】
2004316212.tif 000009
【図８】
2004316212.tif 000010
【図９】
2004316212.tif 000011
【図１０】
2004316212.tif 000012
【図１１】
2004316212.tif 000013
【図１２】
2004316212.tif 000014
【図１３】
2004316212.tif 000015
【図１４】
2004316212.tif 000016
【図１５】
2004316212.tif 000017
【図１６】
2004316212.tif 000018
【図１７】
2004316212.tif 000019